(57)【要約】【課題】バイオ認証によるセキュリティ機能を実現するためには、生体情報を読み取るためのスキャナーなど高価なデバイスを製品に実装する必要がある。これは製品のサイズやコストが増加したり、スキャナーなどデバイス自体が故障する危険が新たに発生する。【解決手段】情報処理装置を屋外へ持ち出す場合に、本体駆動の可能な期限を設定したりＡＣ電源による電源供給を制限することで、設定した期限が経過したり搭載電池の残量がなくなった時点で本体起動をできなくすることで、万一盗難にあった場合に機密情報が第三者に流出する危険が皆無になるセキュリティ機能を提供する。【選択図】図１
2006338470.tif 000002
【特許請求の範囲】
【請求項１】
２次電池と、
前記２次電池の充放電を制御する充放電制御手段と、
本体の駆動が可能な期限を入力する駆動期限設定手段と、
前記駆動期限設定手段で設定した駆動が可能な期限を保持する駆動期限格納手段と、
現在日時を取得する日時取得手段と、
を有し、
前記充放電制御手段は本体起動時に取得した現在日時が前記駆動期限格納手段に格納された期限日以降であれば本体駆動を行わないことを特徴とする充放電制御装置。
【請求項２】
充放電の動作モードを設定する動作モード設定手段と、
前記動作モード設定手段で設定した動作モードを保持する動作モード格納手段と、
を有し、
前記充放電制御手段はＡＣ電源の接続状況を判断して、本体起動時に取得した現在日時が前記駆動期限格納手段で格納された期限日か、それ以前であれば、前記動作モード設定手段で設定した動作モードで前記２次電池の充放電を制御することを特徴とする請求項１記載の充放電制御装置。
【請求項３】
２次電池と、
充放電の動作モードを設定する動作モード設定手段と、
前記動作モード設定手段で設定した動作モードを保持する動作モード格納手段と、
前記２次電池の充放電を制御する充放電制御手段と、
を有し、
前記充放電制御手段はＡＣ電源の接続状況を判断して、前記動作モード設定手段で設定した動作モードで前記２次電池の充放電を制御することを特徴とする充放電制御装置。
【請求項４】
前記充放電制御手段は本体起動の有無に関わらず、前記２次電池の充放電を制御することを特徴とする請求項２〜３記載の充放電制御装置。
【請求項５】
前記動作モード設定手段で設定する対象として、デバイスの駆動方法、あるいはバッテリーの充電方法が含まれていることを特徴とする請求項２〜４記載の充放電制御装置。
【請求項６】
前記２次電池内のメモリに保持されたバッテリー充電を禁止するか否かを示す電池情報を取得する電池情報取得手段と、
前記電池情報取得手段で取得した電池情報の真／偽を比較する電池情報比較手段と、
を有し、
比較結果が「真」の場合はバッテリーへの充電を禁止し、「偽」の場合はバッテリーへの充電を許可すること特徴とする請求項２〜５記載の充放電制御装置。
【請求項７】
前記２次電池内のメモリに保持された電池情報を取得する電池情報取得手段と、
電池情報取得手段で取得した電池情報を格納する電池情報格納手段と、
前記電池情報取得手段で取得した電池情報と前記電池情報格納手段に格納された電池情報を比較する電池情報比較手段と、
を有し、
前記充放電制御手段は前記電池情報比較手段での比較結果が一致した場合だけＤＣ電源駆動し、且つ比較結果に関係なくＡＣ接続で充電しないようにすることを特徴とする請求項２〜５記載の充放電制御装置。
【請求項８】
前記電池情報取得手段が取得する電池情報は、電池の製造番号または製造年または製造月または製造日の何れか、あるいはその組み合わせであることを特徴とする請求項７記載の充放電制御装置。
【請求項９】
パスワードを入力させその真偽を検査するパスワード入力手段を有し、
前記パスワード入力手段の検査結果が「偽」であった場合、前記充放電制御手段は次回起動から前記２次電池の電源供給を禁止させることを特徴とする請求項２〜８記載の充放電制御装置。
【請求項１０】
パスワードを入力させその真偽を検査するパスワード入力手段を有し、
前記パスワード入力手段の検査結果が「偽」であった場合は、前記充放電制御手段が前記２次電池の放電量を増加させることを特徴とする請求項２〜８記載の充放電制御装置。
【請求項１１】
前記パスワード入力手段は本体起動時、あるいは前記動作モード設定手段起動時に実行されることを特徴とする請求項９〜１０記載の充放電制御装置。
【請求項１２】
前記電池情報取得手段が取得した電池情報が特定のデータであった場合、前記充放電制御装置は前記動作モード格納手段または前記駆動期限格納手段の設定内容に関わらず、ＡＣ電源駆動または前記２次電池への充電の何れか、あるいはその組み合わせを実行することを特徴とする請求項２〜１１記載の充放電制御装置。
【請求項１３】
前記電池情報取得手段が取得した電池情報が特定のデータであった場合、本体起動直後に動作モードを変更するための前記動作モード設定手段を実行することを特徴とする請求項１２記載の充放電制御装置。
【請求項１４】
前記電池情報取得手段が取得する電池情報はＡＣ電源供給の制限解除フラグであることを特徴とする請求項１２〜１３記載の充放電制御装置。
【請求項１５】
前記電池情報取得手段が取得する電池情報は、電池の製造番号または製造年または製造月または製造日の何れか、あるいはその組み合わせであることを特徴とする請求項１２〜１３記載の充放電制御装置。
【請求項１６】
２次電池と、
前記２次電池の充放電を制御する充放電制御手順と、
本体の駆動が可能な期限を入力する駆動期限設定手順と、
前記駆動期限設定手順で設定した駆動が可能な期限を保持する駆動期限格納手順と、
現在日を取得する日時取得手順と、
を有し、
前記充放電制御手順は本体起動時に取得した現在日時が前記駆動期限格納手順に格納された期限日以降であれば本体駆動を行わないことを特徴とする充放電制御装置の制御方法。
【請求項１７】
充放電の動作モードを設定する動作モード設定手順と、
前記動作モード設定手順で設定した動作モードを保持する動作モード格納手順と、
を有し、
前記充放電制御手順はＡＣ電源の接続状況を判断して、本体起動時に取得した現在日時が前記駆動期限格納手段で格納された期限日かそれ以前であれば、前記動作モード設定手段で設定した動作モードで前記２次電池の充放電を制御することを特徴とする請求項１６記載の充放電制御装置の制御方法。
【請求項１８】
２次電池と、
充放電の動作モードを設定する動作モード設定手順と、
前記動作モード設定手順で設定した動作モードを保持する動作モード格納手順と、
前記２次電池の充放電を制御する充放電制御手順と、
を有し、
前記充放電制御手順はＡＣ電源の接続状況を判断して、前記動作モード設定手順で設定した動作モードで前記２次電池の充放電を制御することを特徴とする充放電制御装置の制御方法。
【請求項１９】
前記充放電制御手順は本体起動の有無に関わらず、前記２次電池の充放電を制御することを特徴とする請求項１７〜１９記載の充放電制御装置の制御方法。
【請求項２０】
前記動作モード設定手順で設定する対象として、デバイスの駆動方法、あるいはバッテリーの充電方法が含まれていることを特徴とする請求項１７〜１９記載の充放電制御装置の制御対象の制御方法。
【請求項２１】
前記２次電池内のメモリに保持されたバッテリー充電を禁止するか否かを示す電池情報を取得する電池情報取得手順と、
前記電池情報取得手順で取得した電池情報の真／偽を比較する電池情報比較手順と、
を有し、
比較結果が「真」の場合はバッテリーへの充電を禁止し、「偽」の場合はバッテリーへの充電を許可すること特徴とする請求項１７〜２０記載の充放電制御装置の制御方法。
【請求項２２】
前記２次電池内のメモリに保持された電池情報を取得する電池情報取得手順と、
前記電池情報取得手順で取得した電池情報を格納する電池情報格納手順と、
前記電池情報取得手順で取得した電池情報と前記電池情報格納手順に格納された電池情報を比較する電池情報比較手順と、
を有し、
前記充放電制御手順は前記電池情報比較手順での比較結果が一致した場合だけ、ＤＣ電源駆動し、且つ比較結果に関係なくＡＣ接続で充電しないようにすることを特徴とする請求項１７〜２０記載の充放電制御装置の制御方法。
【請求項２３】
前記電池情報取得手順が取得する電池情報は、電池の製造番号または製造年または製造月または製造日の何れか、あるいはその組み合わせであることを特徴とする請求項２２記載の充放電制御装置の制御方法。
【請求項２４】
パスワードを入力させその真偽を検査するパスワード入力手順を有し、前記パスワード入力手順の検査結果が「偽」であった場合、前記充放電制御手順は次回起動から前記２次電池の電源供給を禁止させることを特徴とする請求項１７〜２３記載の充放電制御装置の制御方法。
【請求項２５】
パスワードを入力させその真偽を検査するパスワード入力手順を有し、前記パスワード入力手順の検査結果が「偽」であった場合は、前記充放電制御手順が前記２次電池の放電量を増加させることを特徴とする請求項１７〜２３記載の充放電制御装置の制御方法。
【請求項２６】
前記パスワード入力手順は本体起動時、あるいは前記動作モード設定手段起動時に実行されることを特徴とする請求項２４〜２５記載の充放電制御装置の制御方法。
【請求項２７】
前記電池情報取得手順が取得した電池情報が特定のデータであった場合、前記充放電制御装置は前記動作モード格納手順または前記駆動期限格納手順の設定内容に関わらず、ＡＣ電源駆動または前記２次電池への充電の何れか、あるいはその組み合わせを実行することを特徴とする請求項１７〜２６記載の充放電制御装置の制御方法。
【請求項２８】
前記電池情報取得手順が取得した電池情報が特定のデータであった場合、本体起動直後に動作モードを変更するための前記動作モード設定手順を実行することを特徴とする請求項２７記載の充放電制御装置の制御方法。
【請求項２９】
前記電池情報取得手順が取得する電池情報はＡＣ電源供給の制限解除フラグであることを特徴とする請求項２７〜２８記載の充放電制御装置の制御方法。
【請求項３０】
前記電池情報取得手順が取得する電池情報は、電池の製造番号または製造年または製造月または製造日の何れか、あるいはその組み合わせであることを特徴とする請求項２７〜２８記載の充放電制御装置の制御方法。
【発明の詳細な説明】
【技術分野】
【０００１】
本発明はＰＤＡやモバイルパソコンなど、屋外への持ち出しを前提としたＤＣ電源駆動が可能な情報処理装置におけるバッテリーを利用したセキュリティ機能に関するものである。
【背景技術】
【０００２】
近年、情報処理装置の軽量小型化が進むにつれ、ＰＤＡは勿論のこと、ノート型パソコンの中でも特に小型軽量のものはモバイルパソコンと呼ばれ、屋外への持ち出しも盛んに行われるようになった。
【０００３】
一方パソコンの屋外への持ち出しは、常に盗難による個人情報や機密情報の流出といったリスクを伴ってしまう。このため企業では屋外へ持ち出すパソコンに対して、盗難による個人情報や機密情報の流出を防止するために、起動時パスワードやハードディスクロック機能など各種のセキュリティ機能を動作させることを義務づけることが一般的となっている。
【０００４】
しかしながら、パスワードなど有限文字数の組み合わせによるセキュリティ機能は時間を要すれば必ず解除されてしまうものであり、パスワードが解読されずに機密情報流出の危険が無くなる期限というものがない。このため一旦、情報処理装置が盗まれた場合は、個人的にも組織的にも信用が低下してしまう。
【０００５】
また使用者のセキュリティ意識が低い場合は、容易に推測される文字の組み合わせをパスワードにしたり、パスワードを記入したメモをパソコンに貼り付けているケースも珍しくなく、企業は毎年、セキュリティ教育に高額な経費をかけざるを得なくなっている。
【０００６】
そこで指紋認証や虹彩認証、静脈認証などのバイオ認証機能は簡単な操作で本人確認が可能なため、単純なパスワード入力に変わるセキュリティ機能として期待されるようになった。
【特許文献１】特開２００２−３２９２０５号公報
【特許文献２】特開平５−２８９７８４号公報
【発明の開示】
【発明が解決しようとする課題】
【０００７】
しかしながら、バイオ認証によるセキュリティ機能を実現するためには、生体情報を読み取るためのスキャナーなど高価なデバイスを製品に実装する必要がある。このことは製品のサイズやコストが増加したり、スキャナーなどデバイス自体が故障する危険が新たに発生する。
【０００８】
本発明は情報処理装置を屋外へ持ち出す場合に、本体駆動の可能な期限を設定したりＡＣ電源による電源供給を制限することで、設定した期限が経過したり搭載電池の残量がなくなった時点で本体起動をできなくすることで、万一盗難にあった場合に機密情報が第三者に流出する危険が皆無になるセキュリティ機能を提供することが目的である。
【課題を解決するための手段】
【０００９】
上記課題を解決するために本発明の充放電制御装置では、２次電池と、充放電の動作モードを設定する動作モード設定手段と、動作モード設定手段で設定した動作モードを保持する動作モード格納手段と、２次電池の充放電を制御する充放電制御手段と、本体の駆動期限を入力する駆動期限設定手段と、駆動期限設定手段で設定した駆動期限を保持する駆動期限格納手段と、現在日を取得する日時取得手段とを有することで、予め設定した日時以降は本体駆動を不可能にすることができる。
【００１０】
なお本体駆動とはＡＣ駆動、ＤＣ駆動の両方であることは言うまでもない。
【００１１】
また駆動期限設定手段で入力する駆動期限は日時設定もしくは時間設定であり、時間設定の場合は入力日時に駆動可能時間を加算して、駆動を許可する期限を算出すればよい。
【００１２】
また２次電池と、充放電の動作モードを設定する動作モード設定手段と、動作モード設定手段で設定した動作モードを保持する動作モード格納手段と、２次電池の充放電を制御する充放電制御手段とを有することで、ＡＣ電源の接続状況に応じて予め設定した動作モードでの充放電に制限することが可能となる。
【００１３】
なお動作モード設定手段ではＡＣ電源接続時のデバイス駆動方法やＡＣ電源接続時のバッテリー充電方法を設定することが考えられる。
【００１４】
また２次電池内のメモリに保持されたバッテリー充電を禁止するか否かを示す電池情報を取得する電池情報取得手段と、電池情報取得手段で取得した電池情報の真／偽を比較する電池情報比較手段とを有して、比較結果が「真」の場合はバッテリーへの充電を禁止し、「偽」の場合はバッテリーへの充電を許可することで、バッテリー駆動制限によるセキュリティ機能が設定された２次電池を他の充放電制御装置に接続しても充電できなくなり、セキュリティが向上する。
【００１５】
また２次電池内のメモリに保持された電池情報を取得する電池情報取得手段と、電池情報取得手段で取得した電池情報を格納する電池情報格納手段と、電池情報取得手段で取得した電池情報と電池情報格納手段に格納された電池情報を比較する電池情報比較手段とを有して、電池情報比較手段での比較結果が一致した場合のみＤＣ電源を供給し、且つ比較結果に関係なくＡＣ接続で充電しないようにすることで、予め登録したバッテリー以外でのＤＣ駆動とすべてのユーザー用バッテリーでの充電を制限することが可能となり、さらにセキュリティが向上する。
【００１６】
なお２次電池内のメモリに保持されている電池情報としては電池の製造番号や製造年月日、電池の満充電容量や現在の充電容量などが考えられる。
【００１７】
また２次電池内のメモリに保持された電池情報を取得する電池情報取得手段を有して、取得した電池情報が特定のデータであった場合、充放電制御装置は動作モード格納手段の設定内容に関わらず、ＡＣ電源駆動または２次電池への充電の何れか、あるいはその組み合わせを実行することで、万一正規の使用者が利用中にバッテリーを消耗させた場合でも、特定データをそのバッテリー内メモリに保持した管理者用バッテリーを使用すれば本体起動ができるようになる。
【００１８】
なお特定データか否かを検査するために取得する電池情報がＡＣ電源供給の制限解除フラグを用いるのであれば、本体起動時にその設定状態を検査すれば良いし、電池の製造番号や製造年月日を用いるのであれば、予め管理者用バッテリーとして使用する２次電池の製造番号や製造年月日を電池情報格納手段に保存しておけば良い。
【００１９】
さらに電池情報取得手段が取得した電池情報が特定のデータであった場合、本体起動直後に動作モードを変更するための動作モード設定手段を実行することで、管理者が動作モードの変更など、簡単に必要な保守を実施することができる。
【００２０】
またパスワードを入力させその真偽を検査するパスワード入力手段を有して、パスワード入力手段の検査結果が「偽」であった場合、充放電制御手段は次回起動から２次電池の電源供給を禁止させることで、不正利用者がパスワード解除に利用できるバッテリー駆動時間を強制的に短縮させることができる。
【００２１】
なおパスワードを誤入力した場合に本体を再起動させれば、このセキュリティ機能の効果が最大限に発揮できる。またこのセキュリティ機能の動作中に、正当な利用者がパスワード入力を間違った場合も以後の本体起動は不可能になってしまうが、予め管理者用バッテリーが登録してあれば、そのバッテリーを使用して本体を起動し、セキュリティを解除することで通常利用が可能となる。
【００２２】
またパスワードを入力させその真偽を検査するパスワード入力手段を有して、パスワード入力手段の検査結果が「偽」であった場合は、充放電制御手段が２次電池の放電量を増加させることで不正利用者がパスワード解除に利用できるバッテリー駆動時間を強制的に短縮させることができる。
【発明の効果】
【００２３】
本発明の充放電制御装置によれば、情報処理装置を屋外へ持ち出す場合に本体駆動の可能な期限を設定したりＡＣ電源による電源供給を制限することで、設定した期限が経過したり搭載電池の残量がなくなった時点で本体起動をできなくすることができる。
【発明を実施するための最良の形態】
【００２４】
以下、本発明の実施の形態を、図面を参照しながら説明する。
【００２５】
（実施の形態１）
図１は、本発明の第１の実施の形態に係る充放電制御装置の構成図である。
【００２６】
図１において、１は充放電の動作モードを設定する動作モード設定手段、２は動作モード設定手段で設定した動作モードを保持する動作モード格納手段、３は２次電池の充放電を制御する充放電制御手段、４は充電可能な２次電池、５は２次電池内のメモリに保持された電池情報を取得する電池情報取得手段、６は電池情報取得手段で取得した電池情報を格納する電池情報格納手段、７は電池情報取得手段で取得した電池情報と電池情報格納手段に格納された電池情報を比較する電池情報比較手段、８はパスワードを入力させその真偽を検査するパスワード入力手段、９は本体の駆動期限を入力する駆動期限設定手段、１０は駆動期限設定手段で設定した駆動期限を保持する駆動期限格納手段、１１は現在日を取得する日時取得手段である。
【００２７】
図２は本発明の第１の実施の形態に係る本体から取り外しが不可能な内蔵バッテリーに有効な充放電制御装置の動作モード設定処理を示す説明図である。
【００２８】
図２において、使用者が動作モードを「本体駆動はＤＣ駆動のみでＡＣ接続しても充電しない」設定に変更したい場合は、まず動作モード設定手段１００の動作モード選択テーブル１０１から変更したい項目を選択する。動作モード選択テーブル１０１には動作番号１０２と動作内容１０３から構成され、使用者はデバイス駆動方法とバッテリー充電方法に関して、変更したい動作内容に対応する番号を選択すればよい。例えば「ＡＣ接続してもＡＣ電源では駆動せず、また充電もしない」という設定を選択すると、その選択番号が動作モード格納手段１１０に保存される。動作モード格納手段１１０には、デバイス駆動方法１１２とバッテリー充電方法１１３から構成される動作モード格納テーブル１１１があり、前出の設定ではデバイス駆動方法は「４」、バッテリー充電方法は「１６」が格納される。充放電制御手段１２０はＡＣ電源の接続状況を判断して、動作モード格納手段１１０に格納されたデバイス駆動方法１１２の設定値とバッテリー充電方法１１３の設定値に従って充放電を制御する。例えばデバイス駆動方法１１２が「４」、バッテリー充電方法が「１６」の場合は「ＡＣ接続してもＡＣ電源では駆動せず、また充電もしない」という充放電制御を２次電池１３０に行うことになる。
【００２９】
図３は本発明の第１の実施の形態に係る本体から取り外しが不可能な内蔵バッテリーに有効な充放電制御装置の動作モード設定処理を示すフローチャートである。
【００３０】
図３において、本体起動時にＰ３００で現在のデバイス駆動方法（Ａ０）を、Ｐ３０１で現在の電池充電方法（Ｂ０）を取得する。Ｐ３０２で設定されたデバイス駆動方法（Ａ１）を、Ｐ３０３で設定された電池充電方法（Ｂ１）を取得する。
【００３１】
Ｐ３０４でバッテリー残量を取得し、Ｐ３０５でバッテリー残量がない場合は本体駆動を中止する。Ｐ３０６では充放電の動作モード（Ａｘ）および（Ｂｘ）に変更があるか検査して、変更がない場合はＰ３１３で一定時間待機した後に再度Ｐ３００から処理を開始する。Ｐ３０７ではデバイス駆動方法の設定値（Ａｘ）に従って、「ＡＣ駆動する」場合はＰ３０８、「ＡＣ駆動しない」場合はＰ３０９を実行する。Ｐ３１０では電池充電方法の設定値（Ｂｘ）に従って、「電池充電する」場合はＰ３１１、「電池充電しない」場合はＰ３１２を実行して最初の処理に戻る。
【００３２】
（実施の形態２）
図４は本発明の第２の実施の形態に係る本体から取り外しが可能な内蔵バッテリーに有効な充放電制御装置のユーザー用バッテリーの識別処理を示す説明図である。
【００３３】
図４において、放電可能なユーザー用バッテリーを登録する場合、まず電池情報取得手段２１０が２次電池２６０のメモリに格納された電池情報２６１を取得する。電池情報２６０はシリアル番号２６２をはじめ製造年月日や満充電容量、現在の充電容量など各バッテリー固有の情報から構成されている。例えばシリアル情報２６２を取得すると、電池情報格納手段２００の電池情報の管理テーブル２０１を構成する電池情報の種類２０２は「シリアル番号」、データ２０３は「●●●●」が格納されて登録が終了する。なおこの電池情報の管理テーブル２０１は複数の異なるバッテリー情報を格納できても良い。なおこの例では「●●●●」、「△△△△」、「○○○○」のシリアル番号が使用可能なバッテリーとして登録されている。
【００３４】
一方、充放電制御手段２３０は、充放電制御のため現在接続されている２次電池２６０が電池情報格納手段２００に登録されたものか否かを確認する必要がある。そこで、電池情報比較手段２２０が電池情報取得手段２１０で取得したシリアル番号２１４が電池情報格納手段２００にある電池情報の管理テーブル２０１に登録されているか順次比較する。比較検査は電池情報の比較テーブル２２１で行われる。例えば比較項目２２２のシリアル番号２２４行は、電池情報取得手段２１０で取得した電池情報を格納し、比較項目２２２のシリアル番号２２６行は、電池情報格納手段２００に格納された電池情報を格納することとして、電池情報取得手段２１０で取得したデータ２２５と電池情報格納手段２００に格納されたデータ２２７を順次比較する。
【００３５】
充放電制御手段２３０は比較結果が、「真」であれば動作モード格納手段２４０に格納された方法で充放電制御を実行し、電池情報格納手段２００の電池情報の管理テーブルに現在接続されているバッテリーの電池情報が格納されていない場合は、ＡＣ電源でもＤＣ電源でも本体を駆動させない。
【００３６】
さらに充電に関しては、比較結果に関係なくＡＣ接続されても接続バッテリーへ充電しないことで、登録バッテリー以外での本体駆動を制限することができる。
【００３７】
図５は本発明の第２の実施の形態に係る本体から取り外しが可能な内蔵バッテリーに有効な充放電制御装置のユーザー用バッテリーの識別処理を示すフローチャートである。
【００３８】
図５において、本体起動時にＰ５００でバッテリー残量を取得し、Ｐ５０１でバッテリー残量がない場合は本体駆動を中止する。Ｐ５０２では２次電池内メモリから電池情報を取得して、Ｐ５０３で電池情報管理テーブルからユーザー用バッテリーとして登録済みの電池情報を取得する。Ｐ５０４で取得した電池情報が同じ場合は、登録済みのバッテリーが装着されているため、Ｐ５０５で設定されたデバイス駆動方法（Ａ１）と電池充電方法（Ｂ１）を取得して、Ｐ５０８の処理を実行する。取得した電池情報が異なる場合は、電池情報管理テーブルに登録されている他の電池情報と比較する。Ｐ５０６で２次電池から取得した電池情報が電池情報管理テーブルに登録されていない場合は、未登録のバッテリーが装着されているため、Ｐ５０７でデバイス駆動方法は「駆動しない」、電池充電方法は「充電しない」の設定値を取得して、Ｐ５０８、Ｐ５０９、Ｐ５１０でデバイス駆動方法を設定と、Ｐ５１１、Ｐ５１２、Ｐ５１３で電池充電モードを設定する。バッテリーの交換はいつ実施されるか不明なため、デバイス駆動方法と電池充電方法は常時監視する必要があり、Ｐ５１４を実行して最初の処理に戻る。
【００３９】
（実施の形態３）
図６は本発明の第３の実施の形態に係る本体から取り外しが可能な内蔵バッテリーに有効な充放電制御装置の管理者用バッテリーの識別処理を示す説明図である。
【００４０】
図６において、充放電制御の設定が「本体駆動はＤＣ駆動のみでＡＣ接続しても充電しない」という設定で動作モード格納手段３２０に格納してある状態において、管理者用バッテリーを識別する処理を説明する。
【００４１】
管理者用バッテリーを識別する方法は２つある。第１の方法は、２次電池３４０の電池情報３４１にあるＡＣ電源供給の制限解除フラグ３４２を検査する方法で、充放電制御手段３３０は、充放電制御をする際に電池情報取得手段３６０が取得したＡＣ電源供給の制限解除フラグ３４２を検査して、これが「０」の場合はユーザー用バッテリーと判断して動作モード格納手段３２０の設定内容で充放電制御を行い、「１」の場合は管理者用バッテリーと判断して動作モード格納手段３２０の設定内容に関わらず、ＡＣ電源駆動または２次電池への充電の何れか、あるいはその組み合わせを実行する。
【００４２】
第２の方法は、２次電池３４０の電池情報３４１にあるＡＣ電源供給の制限解除フラグ３４２以外を検査する方法で、例えば、予め電池情報取得手段３６０がシリアル番号３４３を取得し電池情報格納手段３５０にある電池情報の管理テーブル３５１に管理者用バッテリーの電池情報として登録しておく。充放電制御手段３３０は、充放電制御をする際に電池情報比較手段３７０で電池情報取得手段３６０が取得したシリアル番号３４３と電池情報格納手段３５０の電池情報の管理テーブル３５１に保存されたシリアル番号３５３の比較した結果を確認して、登録されたすべての電池情報で「偽」の場合はユーザー用バッテリーと判断して動作モード格納手段３２０の設定内容で充放電制御を行い、「真」の場合は管理者用バッテリーと判断して動作モード格納手段３２０の設定内容に関わらず、ＡＣ電源駆動または２次電池への充電の何れか、あるいはその組み合わせを実行する。
【００４３】
これによって、管理者が所有するバッテリーを使用すれば、バッテリーが消耗したために本体駆動が出来なくなった装置であっても、本体駆動をすることが可能となり、所定の設定を変更した後で再びユーザー用バッテリーでの本体駆動が可能となる。
【００４４】
図７は本発明の第３の実施の形態に係る本体から取り外しが可能な内蔵バッテリーに有効な充放電制御装置の管理者用バッテリーの識別処理を示すフローチャートである。
【００４５】
図７において、本体起動時にＰ７０１で２次電池内メモリから電池情報（シリアル番号）を取得し、Ｐ７０２で２次電池からＡＣ電源供給の制限解除フラグを取得する。Ｐ７０３ではＡＣ電源供給の制限解除フラグが０か否かを検査して、０でない場合は、管理者用バッテリーが装着されていると判断してＰ７０７を実行する。
【００４６】
なおＡＣ電源供給の制限解除フラグの有無による管理者用バッテリーの装着検査をしない場合は、Ｐ７０２とＰ７０３は無くても良い。Ｐ７０４では電池情報管理テーブルから管理者用バッテリーとして登録済みの電池情報（シリアル番号）を取得する。Ｐ７０５で取得した電池情報（シリアル番号）が同じ場合は、登録済みのバッテリーが装着されているため、Ｐ７０７で設定されたデバイス駆動方法（Ａ１）と電池充電方法（Ｂ１）を取得して、Ｐ７０８の処理を実行する。取得した電池情報（シリアル番号）が異なる場合は、電池情報管理テーブルに登録されている他の電池情報（シリアル番号）と比較する。Ｐ７０６で２次電池から取得した電池情報（シリアル番号）が電池情報管理テーブルに登録されていない場合は、未登録のバッテリーが装着されているため本体駆動を注視する。その後でＰ７０８、Ｐ７０９、Ｐ５７１０でデバイス駆動方法を設定し、Ｐ７１１、Ｐ７１２、Ｐ７１３で電池充電モードを設定する。
【産業上の利用可能性】
【００４７】
本発明にかかる充放電制御装置は、情報処理装置を屋外へ持ち出す場合に持ち出し予定時間に合わせて駆動期限を設定することで、駆動期限を越えた時点で本体起動を不可能にすることができる。またＡＣ電源による電源供給を制限することで、搭載バッテリーの残量がなくなった時点で所定のバッテリーを所有していない場合には、本体起動を不可能にすることができる。
【００４８】
よって万一盗難に遭遇した場合でも、駆動期限や盗難時のバッテリー残量時間を越えての不正利用が不可能となり、安価なセキュリティ構成で機密情報の流出を防止するためのセキュリティ機能を実現することができるため、充放電制御装置を利用したセキュリティ方式として有用である。
【図面の簡単な説明】
【００４９】
【図１】本発明の第１の実施の形態に係る充放電制御装置の構成図
【図２】本発明の第１の実施の形態に係る本体から取り外しが不可能な内蔵バッテリーに有効な充放電制御装置の動作モード設定処理を示す説明図
【図３】本発明の第１の実施の形態に係る本体から取り外しが不可能な内蔵バッテリーに有効な充放電制御装置の動作モード設定処理を示すフローチャート
【図４】本発明の第２の実施の形態に係る本体から取り外しが可能な内蔵バッテリーに有効な充放電制御装置のユーザー用バッテリーの識別処理を示す説明図
【図５】本発明の第２の実施の形態に係る本発明の第２の実施の形態に係る本体から取り外しが可能な内蔵バッテリーに有効な充放電制御装置のユーザー用バッテリーの識別処理を示すフローチャート
【図６】本発明の第３の実施の形態に係る本体から取り外しが可能な内蔵バッテリーに有効な充放電制御装置の管理者用バッテリーの識別処理を示す説明図
【図７】本発明の第３の実施の形態に係る本発明の第３の実施の形態に係る本体から取り外しが可能な内蔵バッテリーに有効な充放電制御装置の管理者用バッテリーの識別処理を示すフローチャート
【符号の説明】
【００５０】
１  動作モード設定手段
２  動作モード格納手段
３  充放電制御手段
４  ２次電池
５  電池情報取得手段
６  電池情報格納手段
７  電池情報比較手段
８  パスワード入力手段
９  駆動期限設定手段
１０  駆動期限格納手段
１１  日時取得手段
【図１】
2006338470.tif 000003
【図２】
2006338470.tif 000004
【図３】
2006338470.tif 000005
【図４】
2006338470.tif 000006
【図５】
2006338470.tif 000007
【図６】
2006338470.tif 000008
【図７】
2006338470.tif 000009